(57)【要約】【課題】光源装置の発光管と光束射出側の端部とを簡易な構成で効果的に冷却できるプロジェクターを提供する。【解決手段】プロジェクター１は、光束を射出する光源装置１００と、光源装置１００から射出された光束を変調する液晶装置５２０と、液晶装置５２０からの変調光を投写する投写光学装置６００と、光源装置１００と液晶装置５２０との間に配置された照明光学装置２００と、光源装置１００の側方に設けられ光源装置１００の光束射出側から光源装置１００に向けて冷却風を導入するダクト部４０とを備え、ダクト部４０は光源装置１００の光束射出側に照明光軸ＯＣ側に向けて開口する開口部４４を有している。光源装置１００の光束射出側の端部３０ａには、照明光学装置２００を収納する光学部品用筐体３を備え、光学部品用筐体３はダクト部４０側に向けて開口する開口部３ａを有している。【選択図】図２
2012008181.tif 000002
【特許請求の範囲】
【請求項１】
光束を射出する光源装置と、
前記光源装置から射出された前記光束を変調する光変調装置と、
前記光変調装置からの変調光を投写する投写光学装置と、
前記光源装置の側方に設けられ、前記光源装置の光束射出側から前記光源装置に向けて冷却風を導入するダクト部と、を備え、
前記ダクト部は、前記光源装置の光束射出側に、前記光束の光軸側に向けて開口する第１の開口部を有していることを特徴とするプロジェクター。
【請求項２】
請求項１に記載のプロジェクターであって、
前記光源装置と前記光変調装置との間の前記光束の光軸上に配置された照明光学装置と、
前記光源装置の光束射出側の端部に接続され、前記照明光学装置を収納する光学部品用筐体と、をさらに備え、
前記光学部品用筐体は、前記ダクト部側に向けて開口する第２の開口部を有していることを特徴とするプロジェクター。
【請求項３】
請求項２に記載のプロジェクターであって、
前記第１の開口部と前記第２の開口部とは、互いに対向するように配置されていることを特徴とするプロジェクター。
【請求項４】
請求項３に記載のプロジェクターであって、
前記光学部品用筐体は、前記第２の開口部の他に少なくとも一つの開口部をさらに有していることを特徴とするプロジェクター。
【請求項５】
請求項４に記載のプロジェクターであって、
前記少なくとも一つの開口部は、前記光学部品用筐体における前記第２の開口部とは反対側に設けられた第３の開口部を含むことを特徴とするプロジェクター。
【請求項６】
請求項５に記載のプロジェクターであって、
前記第１の開口部、前記第２の開口部、および前記第３の開口部は、前記ダクト部側から前記光軸の方向と略直交する方向に見て、互いに重なるように配置されていることを特徴とするプロジェクター。
【発明の詳細な説明】
【技術分野】
【０００１】
本発明は、プロジェクターに関する。
【背景技術】
【０００２】
プロジェクターは、光源装置、電源装置、光学部品、液晶装置等が高温になるため、これらを冷却風により冷却する冷却構造を備えている。中でも、光源装置は最も温度が上昇し易く、近年では光源装置の高輝度化に伴い発熱量が増加している。そこで、光源装置を冷却するための冷却ファンを設け、ダクトを介して冷却風を光源装置内部に導入し、発熱源である発光管を冷却する構成が用いられている。
【０００３】
また、光源装置の周辺も高温になり易いが、光源装置に向けた冷却風の流路は形成されているものの、光源装置の周辺では冷却風の流れが形成され難く冷却が不十分となる部分がある。このような部分の一つとして、外装ケースの光源装置近傍の部分を光源装置とともに冷却するための冷却構造が提案されている（例えば、特許文献１参照）。
【０００４】
特許文献１に記載のプロジェクターでは、冷却風を光源装置に導入するダクトが光源装置に向けた開口部よりも下流側、すなわち光束射出方向の後方側に外装ケースに向けた開口部をさらに有している。このような構成によれば、冷却ファンからダクト内に導入される冷却風が、光源装置に向けて送られるだけでなく外装ケースの光源装置近傍の部分に向けても送られる。
【先行技術文献】
【特許文献】
【０００５】
【特許文献１】特開２００２−１７４８５７号公報
【発明の概要】
【発明が解決しようとする課題】
【０００６】
ところで、光源装置は光束射出側も光束を吸収すること等により高温になり易く、光源装置の周辺にもダクトと光学部品用筐体との間の空間等、高温となった空気が滞留し易い部分がある。しかしながら、冷却ファンを増設したりダクトを延設したりすると、プロジェクターの大型化や騒音の増大を招いてしまう。そのため、簡易な構成で、光源装置の光束射出側の部分や光源装置の周辺も効果的に冷却できる構造が要望されている。
【課題を解決するための手段】
【０００７】
本発明は、上述の課題の少なくとも一部を解決するためになされたものであり、以下の形態または適用例として実現することが可能である。
【０００８】
［適用例１］本適用例に係るプロジェクターは、光束を射出する光源装置と、前記光源装置から射出された前記光束を変調する光変調装置と、前記光変調装置からの変調光を投写する投写光学装置と、前記光源装置の側方に設けられ、前記光源装置の光束射出側から前記光源装置に向けて冷却風を導入するダクト部と、を備え、前記ダクト部は、前記光源装置の光束射出側に、前記光束の光軸側に向けて開口する第１の開口部を有していることを特徴とする。
【０００９】
この構成によれば、プロジェクターは光源装置の側方にダクト部を備えており、ダクト部には光源装置の光束射出側に光束の光軸側に向けて開口する第１の開口部が設けられている。このダクト部に光束射出側から光源装置に向けて冷却風が導入されるので、光源装置が冷却される。また、ダクト部に導入される冷却風の一部が第１の開口部で分岐して、光源装置の光束射出側、かつ光束の光軸側に向けた空気の流れが形成される。この空気の流れにより、光源装置の光束射出側における高温となった部分が冷却されるとともに、高温となって滞留する空気が流動し易くなる。これにより、簡易な構成で、光源装置と光源装置の周辺とを効果的に冷却することができる。この結果、冷却ファンの追加やダクトの大型化が抑えられるので、小型で低騒音のプロジェクターを提供できる。
【００１０】
［適用例２］上記適用例に係るプロジェクターであって、前記光源装置と前記光変調装置との間の前記光束の光軸上に配置された照明光学装置と、前記光源装置の光束射出側の端部に接続され、前記照明光学装置を収納する光学部品用筐体と、をさらに備え、前記光学部品用筐体は、前記ダクト部側に向けて開口する第２の開口部を有していることが好ましい。
【００１１】
この構成によれば、光源装置の光束射出側の端部に照明光学装置を収納する光学部品用筐体が接続されているため、光源装置の光束射出側で高温となった空気が滞留し易くなる。ここで、光学部品用筐体にダクト部側に向けて開口する第２の開口部が設けられているため、ダクト部の第１の開口部からの冷却風が第２の開口部から光学部品用筐体内に導かれて空気の流れが形成されるので、光源装置の光束射出側の空気が流動する。これにより、光源装置の光束射出側端部を冷却することができる。
【００１２】
［適用例３］上記適用例に係るプロジェクターであって、前記第１の開口部と前記第２の開口部とは、互いに対向するように配置されていることが好ましい。
【００１３】
この構成によれば、第１の開口部と第２の開口部とが互いに対向するように配置されているので、ダクト部の第１の開口部から流出する冷却風が第２の開口部から光学部品用筐体内に導かれ易くなる。これにより、光源装置の光束射出側端部を効果的に冷却することができる。
【００１４】
［適用例４］上記適用例に係るプロジェクターであって、前記光学部品用筐体は、前記第２の開口部の他に少なくとも一つの開口部をさらに有していることが好ましい。
【００１５】
この構成によれば、光学部品用筐体に第２の開口部の他に開口部が設けられているので、第２の開口部から導かれた冷却風により照明光学装置内に滞留する空気が他の開口部から照明光学装置外へ流れるようになる。これにより、光源装置の光束射出側端部をより効果的に冷却することができる。
【００１６】
［適用例５］上記適用例に係るプロジェクターであって、前記少なくとも一つの開口部は、前記光学部品用筐体における前記第２の開口部とは反対側に設けられた第３の開口部を含むことが好ましい。
【００１７】
この構成によれば、光学部品用筐体における第２の開口部とは反対側に第３の開口部が設けられているので、ダクト部からの冷却風により空気の流れがより形成され易くなる。これにより、光源装置の光束射出側端部をより一層効果的に冷却することができる。
【００１８】
［適用例６］上記適用例に係るプロジェクターであって、前記第１の開口部、前記第２の開口部、および前記第３の開口部は、前記ダクト部側から前記光軸の方向と略直交する方向に見て、互いに重なるように配置されていることが好ましい。
【００１９】
この構成によれば、第１の開口部、第２の開口部、および第３の開口部が光軸と略直交する方向に互いに重なるように配置されているので、冷却風の流路を直線的にすることができる。これにより、ダクト部からの冷却風がより流れ易くなる。
【図面の簡単な説明】
【００２０】
【図１】本実施形態に係るプロジェクターの概略構成を示す模式図。
【図２】本実施形態に係る光源装置周辺の概略構成を示す斜視図。
【図３】本実施形態に係る光源装置の冷却風の流路を説明する図。
【図４】変形例１に係るダクト部の概略構成を示す図。
【発明を実施するための形態】
【００２１】
以下に、本発明の一実施形態について図面を参照して説明する。なお、参照する各図面において、構成をわかりやすく示すため、各構成要素の寸法の比率、角度等は適宜異ならせてある。
【００２２】
＜プロジェクター＞
まず、本実施形態に係るプロジェクターについて、図１を参照して説明する。図１は、本実施形態に係るプロジェクターの概略構成を示す模式図である。本実施形態に係るプロジェクター１は、光源から射出される光束を画像情報に応じて変調してスクリーン等の投写面に拡大投写する電子機器である。
【００２３】
図１に示すように、プロジェクター１は、外装ケース２と、光学部品用筐体３と、光源装置１００と、照明光学装置２００と、色分離光学装置３００と、リレー光学装置４００と、電気光学装置５００と、投写光学装置６００と、冷却用の吸気ファン７００および排気ファン７１０とを備えている。照明光学装置２００、色分離光学装置３００、リレー光学装置４００、および電気光学装置５００の各装置を構成する光学部品は光学部品用筐体３に収納され、光源装置１００および投写光学装置６００とともに外装ケース２内に固定されている。
【００２４】
また、図示を省略するが、プロジェクター１は、外装ケース２内における空間に、プロジェクター１内部の各構成部材に電力を供給する電源装置と、プロジェクター１内部の各構成部材を制御する制御装置とを、さらに備えている。
【００２５】
光源装置１００は、光束を射出する発光管１０と、リフレクター２０と、平行化凹レンズ２２と、保持部３０とを備えている。光源装置１００は、発光管１０から射出された光束をリフレクター２０で反射させて射出方向を揃え、平行化凹レンズ２２により略平行光にして照明光学装置２００に向けて射出する。照明光軸ＯＣは、光源装置１００から被照明領域側に射出される光束の中心軸である。
【００２６】
発光管１０は、発光部とその両側に延出する一対の封止部とを有している。発光管１０としては、高輝度発光する種々の発光管を採用でき、例えば、高圧水銀ランプ、超高圧水銀ランプ、メタルハライドランプ等を採用できる。リフレクター２０は、発光管１０に対向する内面側に反射面を有しており、発光管１０から射出された光を被照明領域側に向けて反射する。
【００２７】
保持部３０は、リフレクター２０の周囲を囲むように設けられており、リフレクター２０を保持している。保持部３０は、例えば、耐熱性の合成樹脂材料により略筒状に形成されている。保持部３０の光束射出側の端部３０ａにおける中央部には開口部が設けられており、この開口部内に平行化凹レンズ２２が保持されている。
【００２８】
光源装置１００は、発光管１０が発光することで発熱して高温となる。発光管１０の冷却が不足すると、発光管１０の破損や寿命劣化を招く。また、光束射出側の端部３０ａも、光束が照射されることにより高温となる。端部３０ａの冷却が不足すると、合成樹脂材料の劣化を招く。したがって、光源装置１００を冷却する際は、発光管１０だけでなく端部３０ａ等も効果的に冷却することが望ましい。
【００２９】
光源装置１００の側方には、ダクト部４０が設けられている。ダクト部４０は、保持部３０（光源装置１００）の端部３０ａよりも光束射出側に、光源装置１００を冷却する空気（以下では冷却風という）を導入するための吸気口４２を有している。なお、光源装置１００を冷却する冷却風の流路については後述する。
【００３０】
照明光学装置２００は、第１のレンズアレイ２１０と、第２のレンズアレイ２２０と、偏光変換素子２３０と、重畳レンズ２４０とを備えている。照明光学装置２００は、光源装置１００から射出された光束を複数の部分光束に分割し、各部分光束を略１種類の偏光光に揃えて、照明対象である３つの液晶装置５２０Ｒ，５２０Ｇ，５２０Ｂの光入射面上に重畳させる。
【００３１】
色分離光学装置３００は、第１のダイクロイックミラー３１０と、第２のダイクロイックミラー３２０と、反射ミラー３３０とを備えている。色分離光学装置３００は、照明光学装置２００から射出された光束を、赤色（Ｒ）光、緑色（Ｇ）光、青色（Ｂ）光の３色の色光に分離する。
【００３２】
リレー光学装置４００は、入射側レンズ４１０と、リレーレンズ４２０と、反射ミラー４３０，４４０とを備えている。リレー光学装置４００は、色分離光学装置３００で分離されたＢ光をＢ光用の液晶装置５２０Ｂまで導く。なお、本実施形態では、リレー光学装置４００がＢ光を導く構成としているが、これに限定されず、例えば、Ｒ光を導く構成としてもよい。
【００３３】
電気光学装置５００は、フィールドレンズ５１０Ｒ，５１０Ｇ，５１０Ｂと、入射側偏光板（図示省略）と、光変調装置としての液晶装置５２０Ｒ，５２０Ｇ，５２０Ｂと、射出側偏光板（図示省略）と、クロスダイクロイックプリズム５３０とを備えている。入射側偏光板および射出側偏光板は、液晶装置５２０Ｒ，５２０Ｇ，５２０Ｂ毎に設けられている。
【００３４】
液晶装置５２０Ｒ，５２０Ｇ，５２０Ｂは、色分離光学装置３００で分離された各色光を画像情報に応じて変調する。クロスダイクロイックプリズム５３０は、４つの直角プリズムを貼り合わせた平面視略正方形状をなし、直角プリズム同士を貼り合わせた界面には、２つの誘電体多層膜が形成されている。クロスダイクロイックプリズム５３０は、液晶装置５２０Ｒ，５２０Ｇ，５２０Ｂにて変調された各色光を合成し、投写光学装置６００側に射出する。
【００３５】
投写光学装置６００は、複数のレンズを組み合わせた組レンズで構成され、電気光学装置５００で変調され合成された光束をスクリーン等の投写面上に拡大投写する。
【００３６】
光学部品用筐体３は、その端部４において、保持部３０（光源装置１００）の端部３０ａに接続され固定されている。これにより、光学部品用筐体３に収納された照明光学装置２００等を構成する光学部品が、照明光軸ＯＣ上の所定の位置に固定される。光学部品用筐体３は、例えば、合成樹脂材料で構成されている。なお、光学部品用筐体３は一体で形成されていてもよいし、照明光学装置２００、色分離光学装置３００、リレー光学装置４００を収納する部分の一部または各部が別体で構成されていてもよい。
【００３７】
吸気ファン７００は、ダクト部４０の光束射出側に、吸気口４２に対向するように配置されている。吸気ファン７００は、光源装置１００を冷却するための冷却風を送風する。吸気ファン７００は、例えば、シロッコファンで構成される。
【００３８】
排気ファン７１０は、光源装置１００のダクト部４０とは反対側に配置されている。排気ファン７１０は、光源装置１００を冷却して温められた空気を外装ケース２外へ排出する。排気ファン７１０は、例えば、軸流ファンで構成される。
【００３９】
＜光源装置の冷却風の流路＞
次に、本実施形態に係る光源装置の冷却風の流路について、図２および図３を参照して説明する。以下の図および説明では、照明光軸ＯＣに沿う光束の進行方向をＸ方向とし、Ｘ方向に直交する方向のうち水平方向に沿い、かつ、Ｘ方向先端側から見て右方向をＹ方向とする。さらに、Ｘ方向およびＹ方向に直交し、かつ、据置き姿勢での上方向をＺ方向とする。すなわち、Ｘ，Ｙ，Ｚで示される各方向は、それぞれ互いに直交する。また、Ｘ方向先端側が光束射出側である。
【００４０】
図２は、本実施形態に係る光源装置周辺の概略構成を示す斜視図である。図３は、本実施形態に係る光源装置の冷却風の流路を説明する図である。詳しくは、図３（ａ）はＺ方向先端側から見た平面図であり、図３（ｂ）はＹ方向基端側から見た側面図である。
【００４１】
まず、図２および図３（ａ）を参照して、光源装置１００の冷却構造を説明する。光源装置１００の保持部３０のＹ方向基端側、すなわちダクト部４０側の側面には、光源装置１００内に冷却風を導入する吸気口３２が設けられている。保持部３０のＹ方向先端側、すなわちダクト部４０とは反対側の側面には、温められた冷却風を光源装置１００外に排気する排気口３４が設けられている。なお、図示を省略するが、吸気口３２および排気口３４には、防塵用に金属製のメッシュが配置されている。
【００４２】
ダクト部４０は、光源装置１００（保持部３０）のＹ方向基端側に配置されている。ダクト部４０は、上方（Ｚ方向先端側）から見て、Ｘ方向に沿った部分とＹ方向に沿った部分とで構成された略Ｌ字形状を有している。吸気口４２は、ダクト部４０のＸ方向先端側に、吸気ファン７００（図３（ａ）参照）の送風口に対向するように配置されている。
【００４３】
また、ダクト部４０は、照明光軸ＯＣ側に向けて開口する第１の開口部としての開口部４４と開口部４６とを有している。開口部４４は、ダクト部４０のＸ方向に沿った部分における光源装置１００よりもＸ方向先端側、すなわち保持部３０の端部３０ａよりも光束射出側に設けられており、後述する光学部品用筐体３の開口部３ａに対向するように配置されている。開口部４６は、ダクト部４０のＹ方向に沿った部分の先端側に設けられ、保持部３０の吸気口３２に対向配置されている。つまり、開口部４４は、開口部４６よりも冷却風の流れの上流側に位置している。
【００４４】
光学部品用筐体３は、光源装置１００（保持部３０）のＸ方向先端側に配置されている。光学部品用筐体３の端部４は、保持部３０のＸ方向先端側の端部３０ａよりも一回り大きな枠状に形成されており、端部３０ａの外周に対応した開口部４ａを有している（図３（ａ）参照）。この端部４の開口部４ａ内に保持部３０の端部３０ａがＸ方向（照明光軸ＯＣ）に沿った方向に挿入されており、ネジ止め等により、光学部品用筐体３と光源装置１００とが固定されている。このように端部３０ａの外周を枠状の端部４で囲むように保持することで、光学部品用筐体３と光源装置１００との位置精度を高めている。
【００４５】
なお、具体的な図示は省略するが、光学部品用筐体３における照明光学装置２００等の光学部品を収納する部分は、上面が開口した略箱型形状に形成されており、光学部品を上方からスライド式に嵌め込むための溝部等を有している。光学部品が収納される部分の上面には、蓋状の部材５が配置される。部材５には、照明光学装置２００等の光学部品を押さえるための板バネ状の部分や、光学部品用筐体３内の空気を排出するための開口部等が設けられている。
【００４６】
光学部品用筐体３は、第２の開口部としての開口部３ａと、第３の開口部としての開口部３ｂとを有している。開口部３ａと開口部３ｂとは、端部４に隣接する略筒状の部分に設けられている。開口部３ａは、Ｙ方向基端側、すなわちダクト部４０側に向けて開口しており、開口部４４に対向するように配置されている。開口部３ｂは、Ｙ方向先端側、すなわち開口部３ａとは反対側に配置されている。
【００４７】
続いて、図３（ａ）を参照して、光源装置１００の冷却風の流路を説明する。本実施形態の光源装置１００を冷却する冷却風の流路は、矢印Ｗ１で示す発光管１０を冷却する流路と、矢印Ｗ２で示す端部３０ａを冷却する流路とを有している。これらの流路は、吸気ファン７００からＸ方向基端側に向けて送風される冷却風が分岐されて形成される。
【００４８】
発光管１０を冷却するための冷却風は、矢印Ｗ１で示すように、吸気口４２からダクト部４０内に導入され、開口部４６に向かって流れて吸気口３２から保持部３０内に導入される。保持部３０内に導入された冷却風は、発光管１０の発光部や封止部を通りリフレクター２０の内部をＹ方向先端側に向かって流れる。この冷却風の流れにより、発光管１０が冷却され、発光管１０を冷却して温められた冷却風は排気口３４から保持部３０外に排気されて排気ファン７１０により外装ケース２外へ排出される（図１参照）。
【００４９】
端部３０ａを冷却するための冷却風は、矢印Ｗ２で示すように、吸気ファン７００からの冷却風の一部が開口部４４で分岐されたものである。開口部４４で分岐されダクト部４０外へ流出した冷却風は、Ｙ方向先端側に向かい、開口部４４に対向配置された開口部３ａから光学部品用筐体３内に導入される。光学部品用筐体３内に導入された冷却風は、端部３０ａに沿うようにＹ方向先端側に向かって流れ、開口部３ｂから光学部品用筐体３外に排気され、排気ファン７１０により外装ケース２外へ排出される。
【００５０】
ここで、保持部３０の端部３０ａは、光学部品用筐体３の開口部４ａ内に挿入され、外周を端部４に囲まれている。そのため、端部３０ａの周辺（開口部４ａ内）は空気が滞留し熱が籠り易くなっている。また、保持部３０内における冷却風の流れは、最も温度上昇し易い発光管１０の発光部や封止部に向けて形成されるため、この冷却風によって端部３０ａを並行して冷却することは難しい。したがって、光学部品用筐体３に開口部３ａ，３ｂが設けられていない場合、端部３０ａは保持部３０の内側からも外側からも冷却され難い状態となる。
【００５１】
本実施形態では、矢印Ｗ２で示すように、吸気ファン７００からの冷却風の流れの上流側において開口部４４で分岐された冷却風が、開口部３ａから光学部品用筐体３内を端部３０ａに沿うように流れて開口部３ｂから排気される流路が形成される。この冷却風の流れにより、開口部４ａ内に滞留する空気が光学部品用筐体３外に向けて流動するとともに、吸気ファン７００から新たな冷却風が光学部品用筐体３内に導入されるので、保持部３０の端部３０ａが冷却される。
【００５２】
また、ダクト部４０と光学部品用筐体３との間の空間も空気が滞留し易く、光源装置１００が発する熱が籠って高温になると光源装置１００の冷却不足を招くこととなる。本実施形態では、矢印Ｗ３で示すように、ダクト部４０と光学部品用筐体３との間の空間に滞留する空気が、矢印Ｗ２で示す冷却風の流れによって流動し易くなる。これにより、光源装置１００の周辺にも空気の流れが形成される。このように、本実施形態の構成によれば、簡易な構成で、光源装置１００と光源装置１００の周辺とを効果的に冷却することができる。
【００５３】
なお、図３（ｂ）に示すように、ダクト部４０の開口部４４と、光学部品用筐体３の開口部３ａおよび開口部３ｂとは、Ｙ方向基端側、すなわちダクト部４０側から照明光軸ＯＣと略直交する方向に見て、互いに重なるように配置されていることが好ましい。開口部４４、開口部３ａ、および開口部３ｂが互いに重なるように配置されていることにより、冷却風の流路を直線的にすることができる。これにより、冷却風がより流れ易くなるので、端部３０ａをより効果的に冷却することができる。
【００５４】
また、開口部４４、開口部３ａ、および開口部３ｂのそれぞれのＺ方向における中央が照明光軸ＯＣと略同一の高さに配置されていることが好ましい。開口部４４、開口部３ａ、および開口部３ｂがこのように配置されていることにより、端部３０ａのうち最も高熱になり易い中心部付近を冷却風が流れるので、端部３０ａをより効果的に冷却することができる。また、プロジェクター１を上下反転させて据置き姿勢と天吊り姿勢との双方で使用する場合に、いずれの姿勢においても略同一条件で光源装置１００を冷却することができる。
【００５５】
なお、光学部品用筐体３には、開口部３ａおよび開口部３ｂ以外に、さらに開口部が設けられていてもよい。
【００５６】
以上、本実施形態に係るプロジェクター１の構成によれば、以下の効果が得られる。
【００５７】
（１）光源装置１００の側方に設けられたダクト部４０を介して、保持部３０内を通り発光管１０を冷却する冷却風の流れが形成される。
また、ダクト部４０には光源装置１００の光束射出側に照明光軸ＯＣ側に向けて開口する開口部４４が設けられており、光学部品用筐体３の光源装置１００との接続側の端部４に隣接する略筒状の部分に開口部３ａと開口部３ｂとが設けられている。このため、開口部４４で分岐して光学部品用筐体３内を流れ保持部３０の端部３０ａを冷却する冷却風の流れが形成されるとともに、光源装置１００の周辺にも空気の流れが形成される。
これらにより、簡易な構成で、光源装置１００と光源装置１００の周辺とを効果的に冷却することができる。この結果、冷却ファンの追加やダクトの大型化が抑えられるので、小型で低騒音のプロジェクター１を提供できる。
【００５８】
（２）開口部４４、開口部３ａ、および開口部３ｂがダクト部４０側から照明光軸ＯＣと略直交する方向に見て互いに重なるように配置することで、冷却風の流路を直線的にすることができる。これにより、冷却風が光学部品用筐体３内をより流れ易くなるので、端部３０ａをより効果的に冷却することができる。
【００５９】
（３）開口部４４、開口部３ａ、および開口部３ｂのＺ方向における中央を照明光軸ＯＣと略同一の高さに配置することで、端部３０ａの中心部付近を冷却風が流れるので、端部３０ａをより効果的に冷却することができる。また、据置き姿勢と天吊り姿勢とのいずれの姿勢においても略同一条件で光源装置１００を冷却することができる。
【００６０】
以上、本発明の光源装置およびプロジェクターを上記の実施形態に基づいて説明したが、本発明はこれに限定されるものではなく、本発明の趣旨から逸脱しない範囲で様々な変形を加えることができる。変形例としては、例えば以下のようなものが考えられる。
【００６１】
（変形例１）
本発明のプロジェクターにおけるダクト部の構成は、上記実施形態に限定されない。ダクト部が開口部の脇に光学部品用筐体側に突出する突出部を有する構成であってもよい。図４は、変形例１に係るダクト部の概略構成を示す図である。詳しくは、図４はＺ方向先端側から見た平面図である。なお、上記実施形態と共通する構成要素については、同一の符号を付しその説明を省略する。
【００６２】
変形例１に係るダクト部４０Ａは、図４に示すように、吸気口４２と、開口部４４と、開口部４６と、突出部４８とを備えている。
【００６３】
突出部４８は、開口部４４のＸ方向基端側、すなわち吸気口４２からの冷却風の流れの下流側に設けられている。突出部４８は、ダクト部４０ＡからＹ方向先端側、すなわち光学部品用筐体３側に突出するように形成されている。突出部４８を設けることにより、矢印Ｗ２で示す開口部４４で分岐された冷却風が光学部品用筐体３の開口部３ａに向けて流れ易くなるので、端部３０ａをより効果的に冷却することができる。
【００６４】
（変形例２）
上記実施形態におけるプロジェクター１は、発光管１０を冷却する冷却風が、保持部３０の側面に設けられた吸気口３２から保持部３０内をＹ方向に沿って流れる構成であったが、本発明はこれに限定されない。保持部が、発光管の上方および下方に設けられ発光管に向けて冷却風を流通可能な一対の流路と、これら一対の流路のうち上方側の流路に選択的に冷却風を導入する切換機構とを備えた構成を有していてもよい。
【００６５】
このような構成によれば、据置き姿勢と天吊り姿勢とのいずれの姿勢においても、上方側の流路から発光管に向けて冷却風の下降気流を形成することができる。これにより、熱対流等の影響により下部よりも上部の方が温度上昇し易い発光管を上部側から冷却して、上部と下部との温度差を抑えることができる。これにより、発光管の長寿命化を図ることができる。
【００６６】
（変形例３）
上記実施形態におけるプロジェクター１は、光変調装置として光を透過し光束入射面と光束射出面とが異なる透過型の液晶装置５２０を備えた透過型のプロジェクターであるが、本発明はこれに限定されるものではない。プロジェクターは、光を反射し光束入射面と光束射出面とが同一となる反射型の液晶装置を備えた反射型のプロジェクターであってもよい。反射型のプロジェクターに本発明を適用した場合にも、透過型のプロジェクターと同様の効果を得ることができる。  
【００６７】
（変形例４）
上記実施形態におけるプロジェクター１は光変調装置として３つの液晶装置を用いたプロジェクターであるが、本発明はこれに限定されるものではない。本発明は、例えば、１つ、２つまたは４つ以上の液晶装置を用いたプロジェクターにも適用することができる。
【００６８】
（変形例５）
上記実施形態のプロジェクター１の構成では、光変調装置として液晶装置５２０を用いているが、本発明はこれに限定されるものではない。光変調装置としては、一般に、画像情報に応じて入射光を変調するものであればよく、マイクロミラー型光変調装置等を利用してもよい。マイクロミラー型光変調装置としては、例えば、ＤＭＤ（デジタルマイクロミラーデバイス）（ＴＩ社の商標）を用いることができる。
【００６９】
（変形例６）
本発明は、投写画像を観察する側から投写するフロント投写型プロジェクター、および、投写画像を観察する側とは反対の側から投写するリア投写型プロジェクターに適用することが可能である。
【００７０】
（変形例７）
上記実施形態においては、本発明の光源装置をプロジェクターに適用した例について説明したが、本発明はこれに限定されるものではない。本発明の光源装置を、例えば、光ディスク装置等他の光学機器に適用することもできる。
【符号の説明】
【００７１】
１…プロジェクター、３…光学部品用筐体、３ａ…第２の開口部としての開口部、３ｂ…第３の開口部としての開口部、１０…発光管、２０…リフレクター、３０…保持部、４０…ダクト部、４４…第１の開口部としての開口部、１００…光源装置、２００…照明光学装置、５２０Ｒ，５２０Ｇ，５２０Ｂ…光変調装置としての液晶装置、６００…投写光学装置、ＯＣ…光束の光軸としての照明光軸。
【図１】
2012008181.tif 000003
【図２】
2012008181.tif 000004
【図３】
2012008181.tif 000005
【図４】
2012008181.tif 000006